(57)【特許請求の範囲】
【請求項１】
Ｘ線受像部とＸ線発生部とによるＸ線撮影で得られるＸ線画像を取得し、Ｘ線撮影の情報を管理する撮影管理装置であって、
Ｘ線発生部とＸ線受像部とにより行われる第一のＸ線撮影の線量を示す情報を取得する第一の取得手段と、
前記撮影管理装置により管理される撮影であって、前記第一のＸ線撮影の次に行われる第二のＸ線撮影の線量を示す情報を、前記第一のＸ線撮影に対応するＸ線照射の後、前記第二のＸ線撮影に対応するＸ線照射の前に取得する第二の取得手段と、
前記第一のＸ線撮影に対応するＸ線照射の後、前記第二のＸ線撮影に対応するＸ線照射の前に、前記第一のＸ線撮影の線量を示す情報に基づく値と前記第二のＸ線撮影の線量を示す情報に基づく値との差に基づいて警告を示す出力を出力部に行わせる出力制御手段と、を有し、
前記出力制御手段は、設定変更の入力があるまでＸ線照射条件の設定が維持されるＸ線発生部である場合には、前記警告を示す出力を行わせ、Ｘ線照射のたびにＸ線照射条件の設定が初期化されるＸ線発生部である場合には、前記警告を示す出力を行わせないことを特徴とする撮影管理装置。
【請求項２】
Ｘ線受像部とＸ線発生部とによるＸ線撮影で得られるＸ線画像を取得し、Ｘ線撮影の情報を管理する撮影管理装置であって、
Ｘ線発生部とＸ線受像部とにより行われる第一のＸ線撮影の線量を示す情報を取得する第一の取得手段と、
前記撮影管理装置により管理される撮影であって、前記第一のＸ線撮影の次に行われる第二のＸ線撮影の線量を示す情報を、前記第一のＸ線撮影に対応するＸ線照射の後、前記第二のＸ線撮影に対応するＸ線照射の前に取得する第二の取得手段と、
前記第一のＸ線撮影に対応するＸ線照射の後、前記第二のＸ線撮影に対応するＸ線照射の前に、前記第一のＸ線撮影の線量を示す情報に基づく値と前記第二のＸ線撮影の線量を示す情報に基づく値との差に基づいて警告を示す出力を出力部に行わせる出力制御手段と、
前記撮影管理装置と通信するＸ線発生部が切り替わったことを検知する検知手段と、を有し、
前記出力制御手段は、前記第一のＸ線撮影に対応するＸ線照射の後、前記第二のＸ線撮影に対応するＸ線照射の前に、前記検知手段によりＸ線発生部が切り替わったことが検知された場合には、前記警告を示す出力を行わせることを特徴とする撮影管理装置。
【請求項３】
Ｘ線撮影の撮影情報を指定する指定手段と、
前記撮影情報の指定に応じて、前記撮影情報に対応する照射条件の情報を前記Ｘ線発生部へ送信させる制御手段と、を有し、
前記出力制御手段は、前記制御手段による前記照射条件の情報の送信が行えない場合に、前記警告を示す出力を行わせることを特徴とする請求項１又は２に記載の撮影管理装置。
【請求項４】
前記出力制御手段は、前記Ｘ線発生部と前記撮影管理装置とが接続されていない場合には、前記警告を示す出力を行わせ、前記Ｘ線発生部と前記撮影管理装置とが接続されている場合には、前記警告を示す出力を行わせないことを特徴とする請求項１又は２に記載の撮影管理装置。
【請求項５】
前記Ｘ線発生部と前記撮影管理装置との通信を監視する監視手段を有し、
前記出力制御手段は、前記通信に異常が発生している場合には前記警告を示す出力を行わせ、前記通信に異常が発生していない場合には前記警告を示す出力を行わせないことを特徴とする請求項１乃至４のいずれか１項に記載の撮影管理装置。
【請求項６】
前記Ｘ線発生部の機能情報を取得する情報取得手段をさらに有し、
前記出力制御手段は、前記機能情報に基づいて前記警告を示す出力を制御することを特徴とする請求項１乃至５のいずれか１項に記載の撮影管理装置。
【請求項７】
前記出力制御手段は、表示部に、前記警告を示す情報とともに、前記第二の取得手段により取得される前記第二のＸ線撮影の線量を示す情報を表示させることを特徴とする請求項１乃至６のいずれか１項に記載の撮影管理装置。
【請求項８】
前記第一のＸ線撮影に対応する第一の撮影情報と前記第二のＸ線撮影に対応する第二の撮影情報とを表示部に表示させる表示制御手段と、
撮影情報を指定する指定手段と、を有し、
前記出力制御手段は、前記指定手段により前記第二の撮影情報が指定されることに応じて前記警告を示す出力を行わせることを特徴とする請求項１又は２に記載の撮影管理装置。
【請求項９】
前記出力制御手段は、前記第一の撮影の線量を示す情報に基づく値と前記第二の撮影の線量を示す情報に基づく値との差の値が閾値よりも大きい場合には前記警告を示す出力を行わせ、前記第一の撮影の線量を示す情報に基づく値と前記第二の撮影の線量を示す情報に基づく値との差の値が閾値よりも小さい場合には前記警告を示す出力を行わせないことを特徴とする請求項１又は２に記載の撮影管理装置。
【請求項１０】
前記第一の取得手段は、前記第一のＸ線撮影の線量の情報として、撮影部位に対応づけられた標準線量の情報、前記第一のＸ線撮影の撮影情報に対応づけられた線量の情報、前記第一のＸ線撮影で得られるＸ線画像から算出された線量の情報、前記第一のＸ線撮影で前記Ｘ線発生部から照射されたＸ線の照射条件の情報、前記第一のＸ線撮影で前記Ｘ線発生部から照射されたＸ線の線量を計測して得られる線量値の情報、の少なくともいずれかを取得することを特徴とする請求項１又は２に記載の撮影管理装置。
【請求項１１】
前記第一の取得手段は、前記Ｘ線発生部のＸ線射出口とＸ線受像部との間に検出部が設けられた線量計から前記線量値の情報を受信することを特徴とする請求項１０に記載の撮影管理装置。
【請求項１２】
前記第二の取得手段は、前記第二のＸ線撮影の線量を示す情報として、前記第二のＸ線撮影の撮影情報に応じた推定線量の情報を取得することを特徴とする請求項１又は２に記載の撮影管理装置。
【請求項１３】
前記第二の取得手段は、前記第二のＸ線撮影の推定線量の情報として、前記第二のＸ線撮影の撮影情報に対応づけられた標準の照射条件の情報に基づき得られる線量の情報を取得する請求項１２に記載の撮影管理装置。
【請求項１４】
前記出力制御手段は、前記出力部としての表示部に前記警告を示す情報を表示させる表示制御、前記出力部としての音声出力部に前記警告を示す音声を出力させる制御のいずれかの制御をおこなうことを特徴とする請求項１乃至１３のいずれか１項に記載の撮影管理装置。
【請求項１５】
Ｘ線受像部とＸ線発生部とによるＸ線撮影に関する情報を管理する情報処理方法であって、
Ｘ線発生部とＸ線受像部とにより行われる第一のＸ線撮影の線量の情報を取得するステップと、
撮影管理装置により管理される撮影であって、前記第一のＸ線撮影の次に行われる第二のＸ線撮影の線量を示す情報を、前記第一のＸ線撮影に対応するＸ線照射の後前記第二のＸ線撮影に対応するＸ線照射の前に取得するステップと、
前記第一のＸ線撮影に対応するＸ線照射の後、前記第二のＸ線撮影に対応するＸ線照射の前に、前記第一のＸ線撮影の線量を示す情報に基づく値と前記第二のＸ線撮影の線量を示す情報に基づく値との差に基づいて警告を示す出力を出力部にさせるステップと、を有し、
設定変更の入力があるまでＸ線照射条件の設定が維持されるＸ線発生部である場合には、前記警告を示す出力を行わせ、Ｘ線照射のたびにＸ線照射条件の設定が初期化されるＸ線発生部である場合には、前記警告を示す出力を行わせないことを特徴とする制御方法。
【請求項１６】
Ｘ線受像部とＸ線発生部とによるＸ線撮影に関する情報を管理する情報処理方法であって、
Ｘ線発生部とＸ線受像部とにより行われる第一のＸ線撮影の線量の情報を取得するステップと、
撮影管理装置により管理される撮影であって、前記第一のＸ線撮影の次に行われる第二のＸ線撮影の線量を示す情報を、前記第一のＸ線撮影に対応するＸ線照射の後、前記第二のＸ線撮影に対応するＸ線照射の前に取得するステップと、
前記第一のＸ線撮影に対応するＸ線照射の後、前記第二のＸ線撮影に対応するＸ線照射の前に、前記第一のＸ線撮影の線量を示す情報に基づく値と前記第二のＸ線撮影の線量を示す情報に基づく値との差に基づいて警告を示す出力を出力部にさせるステップと、
前記撮影管理装置と通信するＸ線発生部が切り替わったことを検知するステップと、を有し、
前記第一のＸ線撮影に対応するＸ線照射の後、前記第二のＸ線撮影に対応するＸ線照射の前に、Ｘ線発生部が切り替わったことが検知された場合には、前記警告を示す出力を行わせることを特徴とする制御方法。
【請求項１７】
請求項１５又は１６に記載の制御方法を、コンピュータに実行させるためのプログラム。
【発明の詳細な説明】
【技術分野】
【０００１】
本明細書の開示は、撮影管理装置、Ｘ線撮影システム、情報処理方法及びプログラムに関する。
【背景技術】
【０００２】
Ｘ線撮影には、Ｘ線を受けてＸ線像を得るＸ線受像部と、被検体に対してＸ線を照射するＸ線発生部と、Ｘ線受像部からの画像を取得する等、Ｘ線撮影の情報を管理する撮影管理装置とが用いられる。
【０００３】
Ｘ線発生部からＸ線を照射する際の照射条件である管電流、管電圧、照射時間等の情報は、被検体の撮影部位や検査目的に合わせて設定される。かかる設定は、撮影部位や検査目的毎に既定の照射条件があることが多い。特許文献１には、被写体情報に基づいて照射線量の基準値を決定し、推定された照射線量が決定された基準値を超過している場合には警告表示を行うことが開示されている。
【先行技術文献】
【特許文献】
【０００４】
【特許文献１】特開２００６−３４０９１０号公報
【発明の概要】
【発明が解決しようとする課題】
【０００５】
Ｘ線発生部の照射条件は、操作卓から手入力で設定されることがあり、かかる手入力での設定には誤りや設定忘れ等のミスが生じる可能性がある。例えばＸ線発生部を用いて複数のＸ線撮影を続けて行う場合、Ｘ線撮影間で撮影部位が異なる等の理由により照射線量が大きく異なると、設定のミスにより不適切な線量でＸ線撮影が行われてしまう可能性があった。
【課題を解決するための手段】
【０００６】
そこで本発明の実施形態に係る撮影管理装置は、Ｘ線受像部とＸ線発生部とによるＸ線撮影で得られるＸ線画像を取得し、Ｘ線撮影の情報を管理する撮影管理装置であって、Ｘ線発生部とＸ線受像部とにより行われる第一のＸ線撮影の線量の情報を取得する第一の取得手段と、前記撮影管理装置により管理される撮影であって、前記第一のＸ線撮影の次に行われる第二のＸ線撮影の推定線量を示す情報を取得する第二の取得手段と、前記第一のＸ線撮影に対応するＸ線照射の後、前記第二のＸ線撮影に対応するＸ線照射の前に、前記第一のＸ線撮影の線量の情報に基づく値と前記第二のＸ線撮影の推定線量との差に基づいて警告を示す出力を出力部にさせる出力制御手段と、を有し、前記出力制御手段は、設定変更の入力があるまでＸ線照射条件の設定が維持されるＸ線発生部である場合には、前記警告を示す出力を行わせ、Ｘ線照射のたびにＸ線照射条件の設定が初期化されるＸ線発生部である場合には、前記警告を示す出力を行わせないことを特徴とする。
【発明の効果】
【０００７】
このように警告を示す出力がされることで、ユーザに対して注意喚起し、設定忘れによる不適切な曝射を抑制することができる。
【図面の簡単な説明】
【０００８】
【図１】実施形態にかかるＸ線撮影システムの構成を示す図である。
【図２】撮影管理装置１０３のハードウェア構成を示す図である。
【図３】他の実施形態にかかる撮影管理装置３００の機能を示す図である。
【図４】実施形態の１つにかかる、Ｘ線受像部とＸ線発生部とによるＸ線撮影に関する情報を管理する情報処理の流れを示すフローチャートである。
【図５】表示部３０３に表示される表示内容の例を示す図である。
【図６】他の実施形態にかかる情報処理の流れを示すフローチャートである。
【図７】ＤＲ方式及びＣＲ方式のＸ線撮影システムの構成を示す図である。
【図８】実施形態にかかる撮影制御装置７０３の機能を示す図である。
【図９】撮影制御装置７０３を用いたシステムにおける、警告処理の流れを示すフローチャートである。
【図１０】検査情報認識装置７０７を用いたシステムにおける、警告処理の流れを示すフローチャートである。
【図１１】実施形態にかかる検査情報認識装置７０７の機能を示す図である。
【図１２】実施形態にかかる、ＤＡＰメータを含むＸ線撮影システムの構成を示す図である。
【図１３】その他の実施形態にかかるＸ線撮影システムの構成を示す図である。
【発明を実施するための形態】
【０００９】
図１に基づいて本発明の実施形態に係るＸ線撮影システムを説明する。Ｘ線撮影システムは、Ｘ線像を得るＸ線受像部１０１と、Ｘ線発生部１０２と、撮影管理装置１０３とを有する。Ｘ線受像部１０１は例えばＸ線フィルムを内蔵するフィルムカセッテ、ＣＲ撮影に用いられるイメージングプレートを内蔵するＣＲカセッテ、あるいは二次元的に配置された光電変換素子により構成されるＸ線検出アレイを含むデジタルＸ線センサ（ＤＲセンサ）である。Ｘ線発生部１０２はＸ線を高速の電子束を受けてＸ線を発生するターゲットを有するＸ線源１０２１と、当該発生されたＸ線束を整形する絞り１０２２と、当該Ｘ線源を制御するＸ線発生制御部１０２３とを有する。
【００１０】
撮影管理装置１０３には、情報を出力する出力部１０３１が接続される。撮影管理部１０３は、Ｘ線受像部１０１とＸ線発生部１０２とによるＸ線撮影で得られるＸ線画像を取得し、Ｘ線撮影の情報を管理する。撮影管理部１０３は、撮影情報取得部１０３４と、第一の線量取得部１０３５と、第二の線量取得部１０３６と、出力制御部１０３７とを有する。撮影情報取得部１０３４は外部の装置あるいは内部のメモリから複数のＸ線撮影に対応する複数の撮影情報を取得する。第一の線量取得部１０３５は、当該複数のＸ線撮影のうち第一のＸ線撮影の線量の情報を取得する。第二の線量取得部１０３６は、当該複数のＸ線撮影のうち第一のＸ線撮影の次に行われる第二のＸ線撮影の推定線量を示す情報を取得する。ここで、推定線量としているのは、第二のＸ線撮影が行われる前に推定線量を示す情報に基づく警告を出力制御部１０３７が必要に応じて出力部１０３１に行わせるためである。
【００１１】
出力制御部１０３７は、第一のＸ線撮影の線量と、第二のＸ線撮影の推定線量との差の値を得、当該差の値に基づいて出力部１０３１に警告を示す出力をさせる。かかる構成により、当該差の値に応じた警告を行うことが可能となり、ユーザに撮影間での線量の変化について注意喚起し、照射条件の設定忘れによる不適切な曝射を抑制することができる。例えば出力制御部１０３７は、前記第一の撮影の線量の情報に基づく値と前記推定線量との差の値が閾値よりも大きい場合には当該差の値に基づく警告を示す出力をさせる。線量差が大きい場合には不適切な撮影となる可能性が大きくなるため、第二のＸ線撮影がかかる不適切な撮影とならないように注意喚起することができる。また別の実施形態では、第一のＸ線撮影の線量よりも第二のＸ線撮影の推定線量が大きくなる場合には、出力部１３０１は、設定忘れにより曝射不足の画像になる可能性がある旨の警告を出力する。第一のＸ線撮影よりも第二のＸ線撮影の推定線量が小さくなる場合には、出力部１３０１は、設定忘れにより過剰曝射の可能性がある旨の警告を出力することとする。このように、第一のＸ線撮影の線量と第二のＸ線撮影の推定線量の大小関係の情報も用いて出力制御部１０３７が警告の出力を制御することで、状況に合わせた適切な注意喚起を行うことが可能となる。
【００１２】
また、第一のＸ線撮影の線量の情報に基づく値と前記推定線量との差の値が閾値よりも小さい場合には当該差の値に基づく警告を示す出力をさせないこととする。このようにすることで不要な警告の出力をさせないこととし、的確な注意喚起を実現する。
【００１３】
第一の線量取得部１０３５は、第一のＸ線撮影の線量の情報として、推定された線量の値を用いてもよいし、線量計等による実測の線量値を用いてもよい。例えば第一のＸ線撮影の撮影部位に対応づけられた標準線量の情報、第一のＸ線撮影の撮影情報に対応づけられた線量の情報、前記第一のＸ線撮影で得られるＸ線画像から算出された線量の情報、の少なくともいずれかを取得する。前記第一のＸ線撮影で前記Ｘ線発生部から照射されたＸ線の照射条件の情報、前記第一のＸ線撮影で前記Ｘ線発生部から照射されたＸ線の線量を計測して得られる線量値の情報、の少なくともいずれかを取得する。実施形態の１つでは、撮影管理装置１０３は線量計と接続されており、第一の線量取得部１０３５は、Ｘ線発生部１０２のＸ線射出口あるいは絞り１０２２とＸ線受像部１０１との間にフォトマルチプライヤ等の検出部が設けられた線量計から線量の情報を受信する。
【００１４】
第二の線量取得部１０３６は、第二のＸ線撮影の推定線量を示す情報として、該第二のＸ線撮影の撮影情報に対応づけられた標準の照射条件の情報に基づき得られる線量の情報を取得する。例えば、標準の照射条件として、過去に第二のＸ線撮影と同じ撮影部位を撮影して得られる複数のＸ線画像の照射条件に含まれる各パラメータの平均値、中央値、最頻値をとしてもよい。あるいは、過去に第二のＸ線撮影と同じ撮影部位を撮影して得られる複数のＸ線画像の線量情報を第二のＸ線撮影の推定線量を示す情報として得ることとしてもよい。
【００１５】
撮影管理装置１０３はＸ線受像部１０１がデジタルＸ線センサである場合には当該Ｘ線受像部１０１と通信し、デジタルＸ線センサで得られるＸ線画像を受信する有線あるいは無線の通信回路を有していてもよい。あるいはＸ線発生部１０２と通信する通信回路を有していてもよい。
【００１６】
その他、撮影管理装置１０３は、ユーザからの操作入力を受け付ける操作部１０３２が接続されていてもよく、この場合、例えば撮影情報取得部１０３４で取得される複数の撮影情報を順に指定することにより、撮影順序の設定が可能となる。当該撮影順序の管理や、当該撮影により得られるＸ線画像と撮影情報との対応付けは撮影管理部１０３３により行われる。撮影管理部１０３３は、例えば対応づけるべき撮影情報とＸ線画像のそれぞれに、付帯情報として共通のＩＤを設定することにより対応付けを行う。
【００１７】
撮影管理装置１０３には、複数の撮影情報を撮影管理装置に提供するＲＩＳ１０４と接続されていてもよい。この場合、撮影情報取得部１０３４はＲＩＳ１０４からの撮影情報を受信する通信回路を含む。撮影管理装置１０３とＰＡＣＳ１０５が接続される場合には、当該撮影管理装置１０３は自身の通信回路を介して、Ｘ線撮影により得られるＸ線画像を送信する。プリンタ１０６が接続される場合には、撮影管理装置１０３は自身の通信回路を介してＸ線撮影により得られるＸ線画像をプリントアウトの為に送信する。
【００１８】
撮影管理装置１０３のハードウェア構成について説明する。撮影管理装置１０３は例えば電子計算機あるいはコンピュータと当該コンピュータに読み取られ実行される命令群を含むプログラムとの協働により実現される。例えば撮影管理装置１０３は、１つあるいは複数のＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ＨＤＤ（Ｈａｒｄ  Ｄｉｓｋ  Ｄｒｉｖｅ）２０４と、通信ＩＦ（Ｉｎｔｅｒｆａｃｅ）２０５と、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）２０６とＵＳＢ（Ｕｎｉｖｅｒｓａｌ  Ｓｅｒｉａｌ  Ｂｕｓ）２０７とを有し、Ｂｕｓ２０９により接続される。ＨＤＤ２０４には実施形態に係る機能及び処理を実現するための命令群を含むプログラム２０４１が記憶されており、当該プログラム２０４１はＲＡＭ２０３に展開される。ＲＡＭ２０３やＲＯＭに記録されたプログラムに含まれる命令群がＣＰＵ２０１により実行されることで、実施形態に係る機能及び処理が実現されることとなる。ここで通信ＩＦ２０５はＲＩＳ１０４、ＰＡＣＳ１０５、プリンタ１０６と接続されている場合の通信に用いられる通信回路である。ＨＤＭＩ（登録商標）２０６は出力部１３０１のインタフェースあるいは接続部であり、ＵＳＢ−ＩＦ２０７は操作部１０３２のインタフェースあるいは接続部である。
【００１９】
図３に基づき別の実施形態に係る撮影管理装置３００を説明する。撮影管理装置３００は、上述の実施形態に係る撮影管理装置１０３に加え、撮影管理装置３００を統合的に制御する制御部３０１のほか、下記の種々の構成を有する。
【００２０】
実施形態の１つに係る撮影管理装置３００は、撮影情報を指定する指定部３０２を有しており、撮影管理装置３００はＸ線発生部１０２と接続される場合がある。
【００２１】
指定部３０２は、第一のＸ線撮影が行われることに応じて第一のＸ線撮影とは異なる第二のＸ線撮影に対応する撮影情報を、第一のＸ線撮影の次のＸ線撮影の撮影情報として指定する。指定される撮影情報は、例えばメモリに格納された順序や、当該複数の撮影情報の順序の情報、あるいはＩＤの情報に基づいて順次選択される。
【００２２】
また例えば、撮影管理装置３０１が操作部１０３２と、出力部１０３１としての表示部３０３とが撮影管理装置３０１に接続されて、出力制御部１０３７が表示部３０３に複数の撮影情報を表示させている場合を考える。この場合、表示部３０３に表示された複数の撮影情報のうち１つを選択する操作入力に応じて、指定部３０２は当該選択される撮影情報を次のＸ線撮影の撮影情報として指定する。指定された状態でＸ線発生部１０２によりＸ線照射が開始されＸ線撮影が行われると、当該Ｘ線撮影により得られるＸ線画像と指定された撮影情報とが撮影管理部１０３３により対応付けられる。
【００２３】
このように、第一のＸ線撮影が行われることに応じて撮影情報が指定される場合には、次に行われるＸ線撮影が自動的に指定される。また操作部１０３２からの操作入力に応じて撮影情報が指定される場合には、撮影順序をユーザが任意に設定することができる。
【００２４】
制御部３０１は、撮影情報の指定に応じて第一の通信部３０４に当該撮影情報に対応する照射条件の情報をＸ線発生部１０２へと送信させる制御を行う。これにより撮影管理装置３００がＸ線発生部１０２と接続されている場合には、照射条件の情報が第一の通信部３０４を介してＸ線発生部１０２へ送信される。
【００２５】
撮影情報は例えば、胸部、腹部、頭部等の撮影部位を示す情報と、前から後へ向かう方向、後ろから前へ向かう方向等の撮影方向を示す情報と、静止画撮影、透視撮影、長尺撮影等の撮影方法を示す情報とを有する。さらに撮影情報は当該撮影部位、撮影方向及び撮影方法に対応する標準の照射条件の情報を有することとしてもよい。照射条件の情報には管電流、管電圧、照射時間等の情報が含まれる。またさらに、撮影情報には撮影に用いるＸ線受像部の種別を示す情報が含まれていてもよい。ここでＸ線受像部の種別を示す情報には、フィルムカセッテ、ＣＲカセッテ、ＤＲセンサという受像部の種別のほか、ＤＲセンサの大きさ等の情報を含んでいてもよい。また、撮影情報には、立位、臥位、フリーポジションなど、撮影体位の情報を含んでいてもよい。
【００２６】
撮影情報に照射条件の情報が含まれる場合等、当該撮影情報に照射条件の情報が対応づけられている場合に、当該撮影情報が指定部３０２により指定されることに応じて、制御部３０１は対応する照射条件の情報を取得し、第一の通信部３０４に供給する。
【００２７】
制御部３０１はさらに、第一の通信部３０４による照射条件の送信が行えるか否か、あるいは行えたか否かを判定する。例えばＸ線発生部１０２と第一の通信部３０４とが物理的に接続されていない場合に、照射条件の送信は行えないと判定し、接続が確立されている場合には照射条件の送信は行えると判定する。接続されている場合であって、当該第一の通信部３０４がＸ線発生装置から、照射条件の受信通知（ＡＣＫ）を受信しない場合に、照射条件の送信が行えなかったと判定する。ＡＣＫを受信した場合には照射条件の送信が行えたと判定する。
【００２８】
ここで出力制御部１０３７は、制御部３０１の制御に基づく、第一の通信部３０４による照射条件の情報の送信が行えない場合に、警告を示す出力をさせることとする。逆にここで、第一の通信部３０４による照射条件の送信が行えている場合には、送信された照射条件がＸ線発生部１０２に設定され、照射条件が第二のＸ線撮影に合わせて更新されるため、警告をする必要性が少ないと思われるので、出力制御部１０３７は警告を出力させない制御を行うこととしている。これは例えば、警告を出力させるための信号を出力部１０３１に供給しないようにすることで実現される。
【００２９】
別の実施形態に係る撮影管理装置３００は、前記Ｘ線発生部と前記撮影管理装置との通信を監視する監視部３０５を有する。監視部３０５は第一の通信部３０４の状態や、通信される情報に基づいて通信状態を監視し、例えば通信に異常があった場合には異常があった旨を示す信号を制御部３０１に出力する。上述の通りＡＣＫの受信の有無で通信の異常の有無を判定することができる。
【００３０】
ここで出力制御部１０３７は、制御部３０１から異常があった旨を示す信号を受けて、通信に異常が発生している場合には上述した、線量差に基づく警告を示す出力を行わせる。前記通信に異常が発生していない場合には線量差に基づく警告を示す出力を行わせない制御をする。このように、通信状態の監視部３０５を設けることによっても、必要に応じて警告を出力させ、不要な場合には警告を出力させず、ユーザに対して注意喚起を行うことができる。
【００３１】
また別の実施形態では、Ｘ線発生部１０２の機能情報を取得する情報取得部を設けることとしてもよい。そして出力制御部１０３７は、当該機能情報に基づいて警告を示す出力を制御する。このようにすることで、例えばＸ線発生部１０２で本実施形態に係る警告を出力する機能がある場合には警告は不要となるため、機能に応じた注意喚起が可能となる。
【００３２】
また実施形態の１つに係る機能情報は、例えばＸ線発生部１０２が、設定変更の入力があるまでＸ線照射条件の設定が維持されるＸ線発生部であるか、Ｘ線照射のたびにＸ線照射条件の設定が初期化されるＸ線発生部であるかを示す情報である。例えば、前者である場合には、撮影のたびに逐次照射条件を設定する必要があるため、実施形態に係る警告を出力するメリットがある一方で、後者である場合には適宜初期化されるため、前回撮影との線量の差分に基づく警告は不要となる。このような観点から、出力制御部１０３７は、Ｘ線発生部１０２が設定変更の入力があるまでＸ線照射条件の設定が維持されるＸ線発生部である場合には、警告を示す出力をさせ、Ｘ線照射のたびにＸ線照射条件の設定が初期化されるＸ線発生部である場合には、警告を示す出力を行わせないこととする。このようにすることで、不要な警告をさせないようにしつつ、的確なタイミングで注意喚起することができる。
【００３３】
実施形態に係る、機能情報を取得する情報取得部は、例えば接続されたＸ線発生部１０２のＩＤ等を基にメモリから機能情報を読み出す。この場合には、例えば制御部３０１が情報取得部として機能する。また別の実施形態では、情報取得部は接続されたＸ線発生部１０２から機能情報を受信する。この場合、第一の通信部３０４が情報取得部として機能する。
【００３４】
このようにすることで、Ｘ線発生部１０２との通信がない場合、あるいは撮影管理装置１０３からＸ線発生部１０２への照射条件の設定機能がない場合、Ｘ線発生部１０２での照射条件の設定忘れにより線量の過不足が生じる可能性を低減することができる。
【００３５】
撮影管理装置３００は、出力部１０３１として、表示部３０３や、音声出力部であるスピーカ３０６と接続されていてもよい。表示部３０３が接続される場合には、出力制御部１０３７は表示部３０３に先述の線量の差分に基づく警告を示す情報を表示させる表示制御を行う。スピーカ３０６が接続される場合には、出力制御部１０３７は音声を出力させるスピーカ３０６に前記警告を示す音声を出力させる制御を行う。これらの場合、出力制御部１０３７は例えばＨＤＭＩ（登録商標）２０６を含む。出力制御部１０３７はこれらの両方の制御を行うこととしてもよい。なお、出力部１０３７及び操作部１０３２として、これらが一体的に形成されたタッチパネルディスプレイを用いることとしてもよい。
【００３６】
その他、撮影管理装置３００は第一の通信部３０４と異なる第二の通信部３０７を有していてもよい。例えば第一の通信部３０４はＵＳＢ−ＩＦで、第二の通信部３０７はＥｔｈｅｒｎｅｔ（登録商標）のインタフェースを夫々含む。実施形態の１つでは、第二の通信部３０７はＲＩＳ１０４、ＰＡＣＳ１０５、プリンタ１０６又はこれらが接続する院内あるいは院外のネットワークに接続する。第二の通信部は通信ＩＦ２０５に対応する構成である。この数のＸ線撮影の撮影情報を受信する受信部として機能する。
【００３７】
その他、撮影管理装置３００は第一の通信部３０４、第二の通信部３０７と異なる第三の通信部３０８を有していてもよい。第三の通信部３０８はＸ線受像部１０１がデジタルＸ線センサである場合に、当該Ｘ線受像部１０１と通信し、当該Ｘ線受像部１０１で得られたＸ線画像を受信する。また第三の通信部３０８は、Ｘ線受像部１０１がＣＲカセッテである場合には、当該Ｘ線受像部１０１の潜像を読み取るリーダと通信し、当該リーダで読み取られたＸ線画像を受信する。なお、第一乃至第三の通信部３０４、３０７、３０８は、直接Ｘ線発生部１０２、ＲＩＳ１０４、Ｘ線受像部１０１と結線されていてもよいし、アクセスポイント等の中継器を通じて通信してもよい。また、無線通信可能な通信部であってもよい。さらには、撮影管理装置３００から中継器までが有線で、中継器から通信先の装置までが無線で通信することとしてもよい。
【００３８】
図４のフローチャートに従い、実施形態に係る撮影管理のための情報処理の流れを説明する。ステップＳ４０１で撮影情報取得部１０３４は複数のＸ線撮影に対応する複数の撮影情報をロードする。この処理は、撮影管理装置１０３のメモリから読み込む処理であってもよいし、ＲＩＳ１０５から受信する処理であってもよい。
【００３９】
ステップＳ４０２でＸ線発生部１０２及びＸ線受像部１０１による第一のＸ線撮影が行われる。第一のＸ線撮影は、撮影情報取得部１０３４が取得した複数の撮影情報の１つに対応するＸ線撮影である。ステップＳ４０３で第一の線量取得部１０３５は、実行された第一のＸ線撮影の線量の情報を取得する。第一の線量取得部１０３５が第一のＸ線撮影で実際に用いられた照射条件や、線量計等により実測された線量値を用いる場合には、ステップＳ４０２とステップＳ４０３がこの順で行われる。別の実施形態で、第一の線量取得部１０３５が第一のＸ線撮影の線量の推定値を取得する場合には、ステップＳ４０２とステップＳ４０３の順序を入れ替えることとしてもよい。
【００４０】
ステップＳ４０４で第二の線量取得部１０３６は、撮影情報取得部が取得した複数の撮影情報の１つに対応するＸ線撮影であり、第一のＸ線撮影の次に行われる第二のＸ線撮影の推定線量を示す情報を取得する。かかる推定線量は、第二のＸ線撮影と同一撮影部位の過去画像の線量値や、当該撮影部位の標準値として設定された線量値を用いる。
【００４１】
ステップＳ４０５で出力制御部１０３７は、第一のＸ線撮影の線量の情報と、第二のＸ線撮影の推定線量との差分値ｄを算出する。ステップＳ４０６で出力制御部１０３７は差分値ｄが閾値ｔｈｒｅｓｈｏｌｄを超えるか否かを判定する。閾値を超えると判定された場合にはステップＳ４０７に進み不適切な照射条件でＸ線撮影が行われる可能性がある旨の警告を示す出力をする。ここでいう出力は、先述の通り、音声や、表示情報の形態で出力される。
【００４２】
ステップＳ４０８でＸ線発生部１０２及びＸ線受像部１０１による第二のＸ線撮影が行われる。第二のＸ線撮影は、撮影情報取得部１０３４が取得した複数の撮影情報のうち第一のＸ線撮影とは異なるＸ線撮影の撮影情報に対応するＸ線撮影である。
【００４３】
このように、ステップＳ４０７における警告を第一のＸ線撮影に対応するＸ線照射（Ｓ４０２）の後、第二のＸ線撮影に対応するＸ線照射（Ｓ４０８）の前に行うことで、第二のＸ線撮影が適切に行われるよう注意喚起することができ、不適切な撮影が行われる可能性を低減することができる。
【００４４】
図５に基づき、撮影管理装置３００に表示部３０３及び操作部１０３２が接続されている場合の、出力制御部１０３７により表示部３０３に出力される表示画面５００の表示内容を説明する。また画面の表示内容の変化と合わせて、図６のフローチャートに記載の処理の流れを説明する。図５（ａ）はステップＳ４０１で複数の撮影情報が取得された状態での表示内容を示し、図５（ｂ）はステップＳ４０２で第一のＸ線撮影が行われた後の表示内容を示し、図５（ｃ）はステップＳ４０７で警告を示す表示がされた状態での表示内容を示している。なお図６のフローチャートにて図４と同様の番号を付したステップは同様の処理内容を示すものとして説明は省略する。
【００４５】
表示画面５００は、撮影されたＸ線画像を表示するための画像領域５０１と、被検者の情報を表示するための被検者領域５０２と、撮影情報を表示するための撮影情報領域５０３と、検査終了を指示するためのアイテムである終了アイコン５０３とが表示される。撮影情報領域５０３には、複数の撮影情報が表示される。実施形態の１つでは、図５（ａ）に示すように、第一のＸ線撮影に対応する第一の撮影情報に対応する第一領域５０５ａと、第二のＸ線撮影に対応する第二の撮影情報に対応する第二情報領域５０５ｂと、第三のＸ線撮影に対応する第三の撮影情報に対応する第三情報領域５０５ｃと、が表示される。さらに、実施形態の１つでは、各撮影情報に対応する撮影で得られるＸ線画像のサムネイルが表示される第一のサムネイル領域５０５ｄ、第二のサムネイル領域５０５ｅ、第三のサムネイル領域５０５ｆが第一、第二、及び第三情報領域５０５ａ〜ｃの領域内に配置される。第一乃至第三情報領域のそれぞれには、撮影部位、撮影方向、撮影方法等の撮影情報に含まれる情報を示す文字やアイコンが表示されていてもよい。
【００４６】
図５（ａ）において、撮影情報取得部１０３４により複数の撮影情報が取得された（Ｓ４０１）状態であり、かつ、第一の撮影情報が指定部３０２により指定された状態となっている。出力制御部１０３７は指定された撮影情報と指定されていない撮影情報とが区別されるように、対応する領域の表示形態を制御する。
ここで、Ｘ線受像部１０１がデジタルＸ線センサであり、Ｘ線受像部１０１と撮影管理装置３００が第三の通信部３０８を介して通信可能である場合に以下の処理を行う。即ち、当該撮影情報の指定に応じて制御部３０１が当該Ｘ線受像部１０１に含まれるＸ線検出アレイに対する電力の供給を開始させるための制御信号を生成し、第三の通信部３０８を介して送信する。これによりＸ線受像部１０１にＸ線の受像の準備を開始させることとする。
【００４７】
この状態でＸ線発生部１０２からＸ線が発生される（Ｓ４０２）と、Ｘ線受像部１０１で画像が得られ、当該画像が撮影管理装置３００により取得され、出力制御部１０３７により表示部３０３に表示される（Ｓ６０１）。図５（ｂ）はこの状態を示している。また、第一の線量取得部１０３５は、実行された第一のＸ線撮影の線量の情報を取得する（Ｓ４０３）。
【００４８】
図５（ｂ）では、画像領域５０１にＸ線画像が表示され、また第一の撮影情報に対応する第一のサムネイル領域５０５ｄに当該Ｘ線画像のサムネイルが表示される。なお、Ｘ線画像は撮影管理装置３００のＣＰＵ２０１で構成される画像処理部によりノイズ低減処理、階調変換、鮮鋭化処理等が施され、画像処理後のＸ線画像を表示することとしてもよい。撮影管理装置３００がＧＰＵ（Ｇｒａｐｈｉｃ  Ｐｒｏｃｅｓｓｉｎｇ  ｕｎｉｔ）を有する場合には、当該ＧＰＵにより上述の画像処理を行ってもよいし、撮影管理装置３００に画像処理用のサーバが第二の通信部３０７を介して接続されている場合には、当該画像処理用のサーバで画像処理を行ってもよい。
【００４９】
指定部３０２が第一のＸ線撮影の終了に応じて、図５（ｃ）に示すように第二のＸ線撮影に対応する第二の撮影情報を指定する（Ｓ６０２）。かかる指定に応じて自動的に、出力制御部１０３７は第二情報領域５０５ｂをその他の情報領域５０５ａ、５０５ｃとは区別可能な表示形態で表示させる。あるいは、指定部３０２が操作部１０３２からの操作入力に応じて撮影情報を指定する場合には、出力制御部１０３７は当該指定に応じて、出力制御部１０３７は指定された情報領域をその他の情報領域とは区別可能な表示形態で表示させる。
【００５０】
かかる指定部３０２による指定に応じて、第二の線量取得部１０３６は、撮影情報取得部が取得した複数の撮影情報の１つに対応するＸ線撮影であり、第一のＸ線撮影の次に行われる第二のＸ線撮影の推定線量を示す情報を取得する（Ｓ４０４）。また出力制御部１０３７は、第一のＸ線撮影の線量の情報と、第二のＸ線撮影の推定線量との差分値ｄを算出する（Ｓ４０５）。
【００５１】
ステップＳ６０３で制御部３０１あるいは監視部３０５は、Ｘ線発生部１０２との通信が可能かあるいは照射条件の送信が行えたかを判定する。通信に異常があると判定された場合には、出力制御部１０３７は差分値ｄが閾値ｔｈｒｅｓｈｏｌｄを超えるか否かを判定する（Ｓ４０６）。ここで差分値ｄが閾値を超えると判定された場合に、ステップＳ６０４で出力制御部１０３７は表示部３０３に図５（ｃ）に示すような警告表示５０６を表示させる。
【００５２】
本実施形態では、通信状態を判定し、通信が不可能である場合や失敗した場合に、設定が自動的に行われない可能性が高く設定忘れの可能性があるとして、警告を表示させるための処理（Ｓ４０６、Ｓ６０４）を行うこととする。これにより、不適切なＸ線撮影を減らすことが可能となる。あるいは、Ｓ６０３の通信状態の判定処理をステップＳ４０３の前に行い、通信が不可能な場合や失敗した場合に、Ｓ４０３、Ｓ４０６、Ｓ６０４の警告を表示させるための処理を行うこととすれば、不要な処理が減らせるというメリットがある。
【００５３】
このようにすることで、Ｘ線発生部１０２との通信がない場合、あるいは撮影管理装置１０３からＸ線発生部１０２への照射条件の設定機能がない場合、Ｘ線発生部１０２での照射条件の設定忘れにより線量の過不足が生じる可能性を低減することができる。
【００５４】
実施形態の１つに係る図５（ｃ）の警告表示５０６は、前回の撮影の線量と比較して大きく異なる線量のＸ線照射がされる恐れがある旨の警告を示す文字やアイコンを含む。これが、撮影間での線量値の差の値に基づく警告に対応する。このほか、Ｘ線発生部１０２との通信がない、あるいは通信に失敗していることを示す文字やアイコンも合わせて表示されていても良い。あるいは、照射条件の設定確認を促す旨の文字やアイコンを合わせて表示することとしても良い。
【００５５】
またこれに加えて、出力制御部１０３７は、第二のＸ線撮影について推定される推定線量を線量表示５０７として表示させても良い。このようにすることで、第二のＸ線撮影についての推定線量でＸ線照射条件を設定させるきっかけを与え、設定ミスを減らすことができる。
【００５６】
上述の警告表示は、ステップＳ６０２の指定に応じて、指定された撮影情報についてＳ４０４、Ｓ４０５、Ｓ６０３、Ｓ４０６の処理が順に行われ、ステップＳ６０４で指定された撮影情報について出力制御部１０３７による警告の表示が行われる。これにより、第二のＸ線撮影前に操作者に注意喚起することができる。
【００５７】
例えば警告表示５０６や線量表示５０７は同一のウィンドウに表示されていてもよく、当該ウィンドウを非表示とするアイコン５０８を押下する操作入力に応じて警告表示５０６や線量表示５０７を非表示とすることができる。警告表示５０６を非表示とするトリガはこれに限らず、警告表示５０６を所定時間表示させた後に非表示とすることとしてもよい。
【００５８】
ここで、Ｘ線受像部１０１としてデジタルＸ線センサを用いる場合に、警告表示５０６が表示されている間は、制御部３０１はＸ線検出アレイに対する電力の供給を指示する旨の制御信号を送信しないこととし、警告表示５０６が非表示とされることに応じて当該制御信号を送信する。このように、警告表示５０６をユーザが確認したあとでＸ線撮影が可能となるように制御することで、注意喚起をより確実に行わせることができる。
【００５９】
なお差分値ｄが閾値を超えると判定されない場合や、通信に異常があると判定されない場合には、警告が不要であるとして警告表示を行わずにステップＳ６０５に進む。
【００６０】
ステップＳ６０５でＸ線発生部１０２での照射を待機し、Ｘ線照射が行われた場合には（Ｓ６０５でＹｅｓ）、ステップＳ４０８でＸ線受像部１０１による第二のＸ線撮影が行われる。その後ステップＳ６０６で、出力制御部１０３７は第二のＸ線撮影に応じて得られるＸ線画像を、第一のＸ線撮影に応じて得られるＸ線画像に代えて、表示部３０３の表示画面５００の画像領域５０１に表示させる。
【００６１】
ステップＳ６０７で終了アイコン５０４を押下する操作入力を待機し、押下された場合には処理を終了する。
【００６２】
このように警告を示す出力がされることで、ユーザに対して注意喚起し、設定忘れによる不適切な曝射を抑制することができる。
【００６３】
図７乃至図１２に基づいて、その他の実施形態にかかるＸ線撮影システムを説明する。
【００６４】
図７乃至図１２において、撮影制御部７０３及び検査情報認識装置７０７は撮影管理装置１０３（３００）に、ＤＲセンサ７０４及びＣＲカセッテ７０８はＸ線受像部１０１の実施形態に、発生装置通信部８１１は第一の通信部３０４に、ＲＩＳ通信部８１３及びＰＡＣＳ通信部８１４は第二の通信部３０７に、センサ通信部８１５は第三の通信部３０８に、部位毎標準線量保存部８１９は第一の線量取得部１０３５の一部に、撮影線量推測・計測部８２０及び撮影線量推測部１１３９は第二の線量取得部１０３６に、撮影線量確認警告部８１６、撮影画像表示部８１７、警告表示部１１３６は出力部１０３１に、それぞれ対応する。また制御部８１２は制御部３０１に、ＭＷＬ保存部８１８は撮影情報取得部１０３４に、前回撮影情報保存部８２１は撮影管理部１０３３に、部位情報比較部８２２及び撮影線量比較部８２３は出力制御部１０３７に対応する。
【００６５】
図７（ａ）にＤＲ方式のＸ線撮影システムの構成を示す。本実施形態のＸ線撮影システムは、発生装置７０１と発生装置７０１の制御によりＸ線を発するＸ線照射部７０２とを含むＸ線発生装置７００と、ＤＲセンサ７０４で蓄積されたＸ線画像をキャプチャする撮影制御装置７０３、Ｘ線照射部７０２でのＸ線照射と同期して撮像されたＸ線画像を撮影制御装置７０３へ送信するＤＲセンサ７０４を有する。このＸ線撮影システムには、被検者情報や検査情報を撮影制御装置７０３とやり取りするＲＩＳ（Ｒａｄｉｏｌｏｇｙ  Ｉｎｆｏｒｍａｔｉｏｎ  Ｓｙｓｔｅｍ）７０５、撮影制御装置７０３で画像化したＸ線画像を受け取り保存するＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）７０６が接続される。
【００６６】
通常、図７（ａ）の構成でＸ線画像撮影は以下の手順にて実施される。先ず、ＲＩＳ７０５から、これから行うべきＸ線撮影の被検者情報と部位、撮影線量などの撮影情報が撮影制御装置７０３へ伝えられる。ＲＩＳ７０５から被検者情報及び撮影情報を受け取った撮影制御装置７０３は、受け取った撮影情報に対応する撮影の準備を行う。この時、撮影情報に撮影線量条件が含まれている場合、撮影制御装置７０３は撮影線量条件を発生装置７０１へ送信する。撮影線量条件を撮影制御装置７０３から受け取った発生装置７０１は、受け取った撮影線量条件に合わせてＸ線を曝射できるように自身の設定を行い曝射待機する。なお、この後、実際のＸ線照射に利用する線量値は、撮影技師操作によって撮影線量条件に合わせて設定された線量値から任意の値へ変更可能である。撮影制御装置７０３は、発生装置７０１へ撮影線量条件を送信すると共に、これから撮影を行う部位条件に合わせてＤＲセンサ７０４の設定を初期化し撮影に備える。発生装置７０１とＤＲセンサ７０４の撮影準備が整うと、撮影制御装置７０３は発生装置７０１へ曝射の許可を行う。曝射許可を受けた発生装置７０１は、自身に装備されたＸ線発生トリガスイッチが押下されるのを待ち、押下のタイミングに合わせてＸ線照射部７０２に撮影線量に応じた電流、電圧を印加してＸ線照射を行う。Ｘ線照射が行われるとＤＲセンサ７０４はＸ線照射と同期して画像蓄積を実施し、蓄積した画像情報を撮影制御装置７０３へ送信する。画像情報をＤＲセンサ７０４から得た撮影制御装置７０３は、入手した画像にデジタル画像処理を施し、画像処理済み画像をＰＡＣＳ７０６へ送信し保存する。以上の手順によってＤＲセンサ７０４を用いたＸ線画像撮影は実施される。
【００６７】
一方、図７（ｂ）にＣＲ方式のＸ線撮影システムの構成を示す。図７（ｂ）において、７０１、７０２、７０５、７０６は図７（ａ）と同様である。本実施形態ではＤＲセンサ７０４に代えてＣＲカセッテ７０８を有する。本実施形態では、ＲＩＳ７０５から受け取った被検者情報及び撮影情報を発生装置７０１、画像リーダ７０９へ通知する検査情報認識装置７０７０７、Ｘ線照射部７０２でのＸ線照射を受けてＸ線画像の蓄積を行い蓄積した画像を画像リーダ兼画像処理部７０９にてデジタル化するＣＲカセッテ７０８、ＣＲカセッテ７０８で蓄積された画像をスキャンして読み出し、デジタル化した後、画像処理を施してＰＡＣＳ７０６へと送る画像リーダ兼画像処理部７０９である。
【００６８】
図７（ｂ）の構成においてＣＲカセッテ７０８を用いたＸ線画像撮影は以下の手順にて実施される。先ず、ＲＩＳ７０５から、これから行うべきＸ線撮影の被検者情報と部位、撮影線量などの撮影情報が検査情報認識装置７０７０７へ伝えられる。ＲＩＳ７０５から被検者情報及び撮影情報を受け取った検査情報認識装置７０７は、受け取った撮影情報に対応する撮影の準備を行う。この時、撮影情報に撮影線量条件が含まれている場合、検査情報認識装置７０７は撮影線量条件を発生装置７０１へ送信する。撮影線量条件を検査情報認識装置７０７から受け取った発生装置７０１は、受け取った撮影線量条件に合わせてＸ線を曝射できるように自身の設定を行い曝射待機する。なお、この後、実際のＸ線照射に利用する線量値は、撮影技師操作によって撮影線量条件に合わせて設定された線量値から任意の値へ変更可能である。又、検査情報認識装置７０７は発生装置７０１と一体化される場合もある。ＣＲカセッテ７０８には事前の撮影条件設定は不要なため、撮影目的に合致したＣＲカセッテ７０８を撮影技師は選択し、撮影位置にセットする。発生装置７０１とＣＲカセッテ７０８の撮影準備が整うと、発生装置７０１は、自身に装備されたＸ線発生トリガスイッチが押下されるのを待ち、押下のタイミングに合わせてＸ線照射部７０２に撮影線量に応じた電流、電圧を印加してＸ線照射を行う。Ｘ線照射が行われるとＣＲカセッテ７０８はＸ線照射により画像蓄積を実施する。Ｘ線照射が完了すると、撮影技師はＣＲカセッテ７０８を画像リーダ兼画像処理部７０９へ挿入し、ＣＲカセッテ７０８に蓄積した画像情報をスキャンにより読み出し、デジタル化してデジタル画像処理を施し、画像処理済み画像をＰＡＣＳ７０６へ送信し保存する。以上の手順によってＣＲカセッテ７０８を用いたＸ線画像撮影は実施される。
【００６９】
上記の様に、ＲＩＳ７０５から送信されたある被検者の撮影情報に含まれる撮影線量値は、撮影制御装置７０３又は検査情報認識装置７０７から発生装置７０１へ反映される。又、前記した様に、自動的に設定されたＸ線照射条件は、その後の撮影技師のマニュアル操作によって所望の値に変更可能である。このようにＸ線撮影システムでは、被検者撮影毎にＸ線照射条件のデフォルト値が自動的に設定されるため、誤ったＸ線照射条件が撮影に利用される事は、撮影技師がマニュアル操作で意図的にあるいは不注意にデフォルト値を変更しない限り起こりえない。
【００７０】
図７（ｃ）及び図７（ｄ）に、発生装置７０１と撮影制御装置７０３や検査情報認識装置７０７間の接続が無い場合の構成を示す。図７（ｃ）及び図７（ｄ）の各構成物は、それぞれ図１及び図７（ｂ）の場合と同様であるが、この場合は発生装置７０１と撮影制御装置７０３や検査情報認識装置７０７間の接続が無いため、撮影制御装置７０３や検査情報認識装置７０７はＲＩＳ７０５から受信した撮影情報（撮影部位情報や撮影条件から得られる撮影線量情報）を、発生装置７０１へ送信し設定する事が出来ない。従って、図７（ｃ）及び図７（ｄ）のケースでは撮影毎に撮影技師が発生装置７０１をマニュアル操作し、適正な撮影線量設定を行う必要がある。更に本ケースの場合、発生装置７０１の線量設定値を撮影制御装置７０３や検査情報認識装置７０７側で知る事も不可能となる。
【００７１】
本実施形態では、図７（ｃ）及び図７（ｄ）の様な発生装置７０１と撮影制御装置７０３や検査情報認識装置７０７間の接続が無いケースや、図７（ａ）及び図７（ｂ）の様な発生装置７０１と撮影制御装置７０３や検査情報認識装置７０７間の接続が存在しているが何らかの理由によって両者間の接続が遮断されている様な異常発生時のケースであっても、発生装置７０１に、次撮影に適さないＸ線照射条件が設定されている可能性を予見し、撮影技師に警告を行う。
【００７２】
図７（ｃ）に示す様な発生装置７０１と撮影制御装置７０３間の通信接続が存在しないＤＲ方式のデジタルＸ線撮影装置における撮影制御装置７０３のブロック図を図８に示す。図８において、８１０は撮影制御装置７０３、８１１は撮影制御装置７０３と発生装置７０１の通信を行う発生装置通信部、８１２は撮影制御装置７０３全体を制御する制御部、８１３はＲＩＳ７０５との通信を行うＲＩＳ通信部、８１４はＰＡＣＳとの通信を行うＰＡＣＳ通信部、１５はセンサとの通信を行うセンサ通信部、８１６はこれからの撮影に不適切な線量値である可能性があると推定される場合に警告を行う撮影線量確認警告部、８１７は撮影制御装置７０３によってキャプチャされたＸ線画像の表示やＧＵＩを表示する撮影画像表示部、８１８はＲＩＳ通信部８１３を介してＲＩＳ７０５より入手した撮影情報（部位情報やＸ線情報、センサ条件等を含む）を保存するＭＷＬ保存部、８１９は撮影部位毎に撮影時の標準線量値を保存する部位毎標準線量保存部、８２０はＸ線情報や撮影済みの画像情報から撮影時の線量値を推定する撮影線量推測・計測部、８２１は直近の撮影時の撮影部位情報等を保存する前回撮影情報保存部、８２２は前回撮影時の部位情報等とこれから撮影を行う部位情報等とを比較する部位情報比較部、８２３は前回撮影時の線量とこれからの撮影における推定線量とを比較する撮影線量比較部である。
【００７３】
図９に図７（ｃ）に示す様な発生装置７０１と撮影制御装置７０３間の通信接続が存在しないＤＲ方式のデジタルＸ線撮影装置で線量警告を行う際のフローチャートを示す。先ず、最初の撮影において、撮影開始前に撮影制御装置７０３はＲＩＳ７０５からＲＩＳ通信部８１３を経由して撮影情報（部位情報やＸ線情報、センサ条件等を含む）を受信するか撮影技師の手入力により入手し、制御部８１２は受け取った撮影情報を分析し、撮影時の部位情報やＸ線情報、センサ条件等をＭＷＬ保存部８１８に保存する。この時ＭＷＬ保存部８１８に保存される情報は、部位情報のみやＸ線情報のみでも構わない。発生装置７０１と撮影制御装置７０３間の通信接続が存在する場合であれば、上記のＸ線情報は発生装置通信部８１１を介して発生装置７０１へ送信され、Ｘ線発生装置の線量設定が自動設定されるが、本ケースでは両者間の接続が無いため自動設定は行われない。続いて制御部８１２は受信したセンサ条件をセンサ通信部８１５を介してＤＲセンサ７０４へ送り撮影準備を行う。撮影の準備が完了したら、制御部８１２は撮影画像表示部８１７を介して撮影技師に撮影の準備が完了した事を通知する。同時に撮影技師は、これからの撮影に最適な線量値を発生装置７０１の操作により設定して、撮影画像表示部８１７に撮影準備完了が通知されるのを待つ。撮影準備完了を確認した撮影技師は、発生装置７０１に設けられた曝射スイッチを押下してＸ線撮影を行う。ＤＲセンサ７０４は、このＸ線発生を検知して画像蓄積を開始し、蓄積が完了したら撮影画像を撮影制御装置７０３へ送信する。撮影制御装置７０３のセンサ通信部８１５はＤＲセンサ７０４から受信した撮影画像に画像処理を施して、撮影画像表示部８１７へ表示する。又、制御部８１２は実施した撮影の部位情報を前回撮影情報保存部８２１に保存する（Ｓ９０１）と共に撮影線量推測・計測部８２０にてＭＷＬ保存部８１８に保存されているＸ線情報から撮影に用いられた推測線量を求め、前回撮影情報保存部８２１に保存（Ｓ９０２）する。以上で最初の撮影が完了する。
【００７４】
引き続き、次の撮影が実施されるが、次撮影開始時に、発生装置７０１に設定されている線量値は前回の撮影に最適な線量値であると推定される。ここで言う最適線量値とは、ＲＩＳ７０５から受信したＸ線情報を基準に、撮影技師の裁量によって調整が行われた線量値である。従って、最適線量値＝ＲＩＳ７０５から受信したＸ線情報ではないが、両者に大きな差異は無いと想定される。
【００７５】
次回の撮影においても前回の撮影時と同様に、撮影制御装置７０３は撮影開始前にＲＩＳ７０５からＲＩＳ通信部８１３を経由して次の撮影用の撮影情報（部位情報やＸ線情報、センサ条件等を含む）を受信するか撮影技師の手入力により入手し、制御部８１２は受け取った撮影情報を分析し、撮影時の部位情報やＸ線情報、センサ条件等をＭＷＬ保存部８１８に保存する。続いて、制御部８１２は部位情報比較部８２２を用いて、次撮影の部位情報をチェック（Ｓ９０３）し、次回の撮影がキャリブレーションやＱｕａｌｉｔｙ  Ｃｈｅｃｋ（ＱＣ）等のテスト用部位の撮影で有った場合、線量警告を行わず終了する（Ｓ９０４）。一方、次撮影の部位情報がテスト用部位でなかった（Ｓ９０４）場合、制御部８１２はＭＷＬ保存部８１８に保存されたＸ線情報を撮影線量推測・計測部８２０へ送り、次回撮影時に用いられる線量値を推定する（Ｓ９０５）。制御部８１２は前回の撮影時に前回撮影情報保存部８２１に保存した前回撮影時の推測線量を読み出し、撮影線量比較部８２３にて同前回推測線量値と撮影線量推測・計測部８２０にて推定した次回撮影線量推測値を比較（Ｓ９０６）し、両者間の推測線量値に大きな差異が認められる場合（Ｓ９０７）は、撮影線量確認を促すメッセージを撮影画像表示部８１７に表示し、撮影線量確認警告部８１６を通じて音声や光で警告（Ｓ９０８）を行い終了する。なお、この時の警告は表示のみでも音や光による警告のみでも良い。一方、両者間の標準線量値に大きな差異が認められない場合は警告を行わず終了する。
【００７６】
次回以降、前記２回目の処理を繰り返す事で、前回撮影実施時と比較して撮影線量に大きな差異が予想される撮影を行う際は警告が発せられると共に、テスト的な撮影の場合は前回撮影時と今回の撮影に大きな線量差があっても警告を発しないＸ線撮影装置を実現できる。
【００７７】
本実施形態では、前回撮影時の部位情報（Ｓ９０４）及び前回撮影時のＸ線情報から推定される推定線量（Ｓ９０７）の２種類を判断基準として、次撮影時の撮影情報と比較し警告の有無を判断しているが、警告有無の判断に、両方の比較処理を実施しても良いし、いずれか一方のみを実施しても良い。
上記実施形態では、発生装置７０１との接続が無いＤＲ方式のデジタルＸ線撮影装置において、ＲＩＳ７０５から撮影情報としてＸ線情報を受信できる場合の線量警告方法について説明を行った。しかしながら、運用形態によっては、ＲＩＳ７０５から受け取る或いは撮影技師の手入力により入手した撮影情報にＸ線情報が含まれない場合もある。本実施形態では、このようなケースについて説明する。本ケースの説明には図７（ｃ）、図８、図１０を利用する。なお、図１０は図７（ｃ）に示す様な発生装置７０１と撮影制御装置７０３間の通信接続が存在しないＤＲ方式のデジタルＸ線撮影装置で且つＸ線情報が撮影情報としてＲＩＳ７０５から受信できない場合に線量警告を行う際のフローチャートである。
【００７８】
本構成における運用時、撮影制御装置７０３の部位毎標準線量保存部１９には撮影部位毎の一般的な撮影線量値が予め求められ保存されていると仮定する。先ず、最初の撮影において、撮影開始前に撮影制御装置７０３はＲＩＳ７０５からＲＩＳ通信部８１３を経由して撮影情報（部位情報やセンサ条件等を含む。ただしＸ線情報は含まない。）を受信するか撮影技師の手入力により入手し、制御部８１２は受け取った撮影情報を分析し、撮影時の部位情報やセンサ条件等をＭＷＬ保存部８１８に保存する。この時ＭＷＬ保存部８１８に保存される情報は、部位情報のみでも構わない。続いて制御部８１２は受信したセンサ条件をセンサ通信部８１５を介してＤＲセンサ７０４へ送り撮影準備を行う。撮影の準備が完了したら、制御部８１２は撮影画像表示部８１７を介して撮影技師に撮影の準備が完了した事を通知する。同時に撮影技師は、これからの撮影に最適な線量値を発生装置７０１の操作により設定して、撮影画像表示部８１７に撮影準備完了が通知されるのを待つ。撮影準備完了を確認した撮影技師は、発生装置７０１に設けられた曝射スイッチを押下してＸ線撮影を行う。ＤＲセンサ７０４は、このＸ線発生を検知して画像蓄積を開始し、蓄積が完了したら撮影画像を撮影制御装置７０３へ送信する。撮影制御装置７０３のセンサ通信部８１５はＤＲセンサ７０４から受信した撮影画像に画像処理を施して、撮影画像表示部８１７へ表示する。又、制御部８１２は実施した撮影の部位情報を前回撮影情報保存部８２１に保存する（Ｓ１００１）と共に撮影線量推測・計測部８２０にて撮影した撮影画像の分析を行いＥＩ値等の線量指標を計算し前回撮影情報保存部８２１に保存（Ｓ１００２）する。以上で最初の撮影が完了する。
【００７９】
引き続き、次の撮影が実施されるが、次撮影開始時に、発生装置７０１に設定されている線量値は前回の撮影に最適な線量値であると推定される。ここで言う最適線量値とは、ＲＩＳ７０５から受信した部位情報から、撮影技師の裁量によって調整が行われた線量値である。撮影線量は撮影部位や被検体の状態によって調整が為されるが、この内、撮影部位に関わる部位毎の基準線量値が、前述の部位毎標準線量保存部１９には予め保存されている。従って、最適線量値＝部位情報から導かれる基準線量値ではないが、両者に大きな差異は無いと想定される。
【００８０】
次回の撮影においても前回の撮影時と同様に、撮影制御装置７０３は撮影開始前にＲＩＳ７０５からＲＩＳ通信部８１３を経由して次の撮影用の撮影情報（部位情報やセンサ条件等を含む）を受信するか撮影技師の手入力により入手し、制御部８１２は受け取った撮影情報を分析し、撮影時の部位情報やセンサ条件等をＭＷＬ保存部８１８に保存する。続いて、制御部８１２は部位情報比較部８２２を用いて、次撮影の部位情報をチェック（Ｓ１００３）し、次回の撮影がキャリブレーションやＱｕａｌｉｔｙ  Ｃｈｅｃｋ（ＱＣ）等のテスト用部位の撮影で有った場合、線量警告を行わず終了する（Ｓ１００４）。一方、次撮影の部位情報がテスト用部位でなかった場合、制御部８１２はＭＷＬ保存部８１８に保存された部位情報を元に部位毎標準線量保存部１９を参照し、次撮影時の部位に合致する標準線量値を得ると共に、前回撮影情報保存部８２１に保存された前回撮影時の撮影部位情報を元に部位毎標準線量保存部１９を参照し、前回撮影時の部位に合致する標準線量値を得る（Ｓ１００５）。制御部８１２は入手した前回撮影時の標準線量と次撮影時の標準線量を撮影線量比較部８２３にて比較（Ｓ１００６）し、両者間の標準線量値に大きな差異が認められる場合（Ｓ１００７）は、撮影線量確認を促すメッセージを撮影画像表示部８１７に表示し、撮影線量確認警告部８１６を通じて音声や光で警告（Ｓ１０１０）を行い終了する。なお、この時の警告は表示のみでも音や光による警告のみでも構わない。一方、両者間の標準線量値に大きな差異が認められない場合（Ｓ１００７）、制御部８１２は、前回撮影情報保存部８２１に保存された前回撮影時の画像解析にて得られたＥＩ値等の線量指標を読み出し、撮影線量比較部８２３にて読み出した前回撮影時の線量指標と読み出し済みの次撮影時の標準線量を比較（Ｓ１００８）し、両者間の線量に大きな差異が認められる場合（Ｓ１００９）は、撮影線量確認を促すメッセージを撮影画像表示部８１７に表示し、撮影線量確認警告部８１６を通じて音声や光で警告（Ｓ１０１０）を行い終了する。なお、この時の警告は表示のみでも音や光による警告のみでも構わない。一方、両者間の標準線量値に大きな差異が認められない場合（Ｓ１００９）は警告を行わず終了する。
【００８１】
次回以降、前記２回目の処理を繰り返す事で、前回撮影実施時と比較して撮影線量に大きな差異が予想される撮影を行う際は警告が発せられると共に、テスト的な撮影の場合は前回撮影時と今回の撮影に大きな線量差があっても警告を発しないＸ線撮影装置を実現できる。
【００８２】
本実施形態では、前回撮影時の部位情報（Ｓ１００４）、前回撮影部位情報から類推される標準線量（Ｓ１００７）、前回撮影済み画像を分析して得られる線量指標（Ｓ１００９）の３種類を基準として、次撮影時の撮影情報と比較し警告の有無を判断しているが、警告有無の判断に、この３種類の比較処理全てを実施しても良いし、いずれかを実施しても良い。
【００８３】
上述の実施形態では、Ｘ線発生装置通信が存在しないＤＲ方式のデジタルＸ線撮影装置において線量警告を行う方法について述べたが、同様の警告はＸ線発生装置通信が存在しないＣＲ方式のデジタルＸ線撮影装置においても可能である。図７（ｄ）に示す様な発生装置７０１と検査情報認識装置７０７間の通信接続が存在しないＣＲ方式のデジタルＸ線撮影装置における検査情報認識装置７０７のブロック図を図１１に示す。図１１において、図８と同様の構成については説明を省略する。検査情報認識装置７０７は、画像リーダとＲＩＳ情報共有を行うための通信を行う画像リーダ通信部１１３４、これからの撮影に不適切な線量値である可能性があると推定される場合に表示による警告を行う警告表示部１１３６、Ｘ線情報から撮影時の線量値を推定する撮影線量推測部１１３９を有する。
【００８４】
上述の方法は、センサ通信に関するプロセスが省略されるだけで、図７（ｄ）、図１１で示した様なＸ線発生装置通信が存在しないＣＲ方式のデジタルＸ線撮影装置においても図９と同様な手順にて、そのまま適用可能である。また図７（ｄ）、図１１で示した様なＸ線発生装置通信が存在しないＣＲ方式のデジタルＸ線撮影装置においても適用可能であるが、この場合、同じくセンサ通信に関するプロセスと図１０で示した手順の内、Ｓ１００２とＳ１００８−Ｓ１００９のプロセスが省略される。手順Ｓ１００２とＳ１００８−Ｓ１００９が省略されるのは、ＣＲ方式では撮影画像を画像リーダ兼画像処理部７０９でデジタル化しない限り、撮影済み画像からの線量解析が不可能であるためである。
【００８５】
図１２（ａ）にＤＡＰメータ（線量計）利用時のＤＲ方式デジタルＸ線発生装置の構成、図１２（ｂ）にＤＡＰメータ利用時のＣＲ方式デジタルＸ線発生装置の構成を示す。ＤＡＰメータ１２５０はＸ線発生時の線量を計測する装置であり、ＤＡＰメータ１２５０を撮影制御装置７０３や検査情報認識装置７０７に接続する事で、ＤＡＰメータ１２５０で計測した撮影線量値を撮影制御装置７０３や検査情報認識装置７０７で利用する事が可能となる。従って、図１２（ａ）や図１２（ｂ）の様にＤＡＰメータ１２５０が接続されているケースでは、図１０で示したプロセスの内、Ｓ１００２を撮影済み画像の解析から得られた線量値では無く、ＤＡＰメータ１２５０からの入力線量値に置き換えることで、図１０と同様の処理をＤＲ方式のデジタルＸ線撮影装置でもＣＲ方式のデジタルＸ線撮影装置でも利用可能となる。この場合、前回撮影時の部位情報（Ｓ１００４）、前回撮影部位情報から類推される標準線量（Ｓ１００７）、前回撮影時にＤＡＰメータ１２５０から得られた入力線量の３種類を基準として、次撮影時の撮影情報と比較し警告の有無を判断するが、警告有無の判断に、この３種類の比較処理全てを実施しても良いし、いずれかを実施しても良い。
【００８６】
上述の実施形態で述べてきた線量警告は、前回の線量設定値をＸ線情報や部位情報、撮影画像から計測された線量指標、ＤＡＰメータ１２５０から得た線量情報を得て、ＲＩＳ７０５から受信する次回撮影時のＸ線情報、部位情報から推測線量と比較する事で警告有無を判定するが、以下の場合は警告を実施しない。
【００８７】
本機能は、熟練した撮影技師には不要な機能である。従って、本警告機能をユーザがオフした場合、撮影に不慣れな技師が利用する場合等を除き、禁止できる機能を設ける。
【００８８】
写損とされた前回撮影と次回撮影の間に撮影線量の大きな差異があっても、前回の撮影失敗を鑑みて撮影条件の見直しを行う事が一般的であるため、前回の撮影が写損とされた場合であっても過剰な警告は必要ない。
【００８９】
上述の実施形態では前回の撮影条件を撮影制御装置７０３や検査情報認識装置７０７側で保存する例について述べてきた。従って、発生装置７０１と撮影制御装置７０３や検査情報認識装置７０７の組み合わせが一定の場合に有効に機能する。しかしながら、これらの組み合わせが変更されると、記憶した前回の部位情報やＸ線条件、線量計測値が無効となるため、これまで示した例では適切な警告が不可能となる。特にこのようなケースは、一般撮影室に立位と臥位撮影用のＸ線発生装置が２セット常備され、そのような環境で１枚のセンサを流用している様な場合が想定される。このような場合には、ＲＩＳ７０５から受け取る撮影情報に含まれるワークスペース情報を元に立位なのか臥位なのかを判定する事が可能である。従って、図９、図１０で示した前回撮影時と次回撮影時の間に、ワークスペースが切り替わったかの判定を行いワークスペースが変わった場合は警告を行うことで対応できる。
【００９０】
以上の通り、Ｘ線発生装置７００と撮影制御装置７０３や検査情報認識装置７０７間の接続が無い状態で使用されるＸ線撮影システム、又は両者間の接続は有るが接続が何らかの要因で切断されている状態のＸ線撮影システムにおいて、発生装置７０１又は撮影制御装置７０３、検査情報認識装置７０７は、前回の撮影情報又は撮影線量を自身で記憶しておき、ＲＩＳ７０５から次の撮影情報を受信して撮影準備を行う際に、前回の撮影情報又は撮影線量とこれから実施する撮影情報や推定撮影線量を比較し、前回撮影時の使用線量と今回撮影時の使用線量が大きくかけ離れている可能性があると判断される場合は警告を行う。
【００９１】
又、前回撮影時の使用線量と今回撮影時の使用線量に大きな差が無いと推測される場合や、大きな差があっても問題無いと推測される場合は警告を行わない。
【００９２】
このように前回の撮影条件と著しく異なる撮影条件が予想される場合に警告を発する事によって、検査技師の注意を促し、予想外の高線量のまま人体撮影を行うなどのトラブルを回避できる可能性がある。
【００９３】
Ｘ線発生部１０２として、複数のＸ線源に対して共通のＸ線発生制御部が設けられる場合がある。その場合には、Ｘ線発生部１０２はＸ線源毎に複数あることとする。
【００９４】
別の実施形態として、上述の実施形態に記載の技術を、第二のＸ線撮影が終了した後に当該第二の撮影についての照射線量の評価に用いる例を説明する。本実施形態では、上述の実施形態と異なり、出力部１０３１による警告を示す出力が第二のＸ線撮影後に行われる。本実施形態では、Ｘ線画像についての線量の過不足を判定する判定部を有する。かかる判定部は、上述の第一の線量取得部等と同様に、例えばＣＰＵ２０１、ＲＡＭ２０３、プログラム２０４１により実現される。当該判定部は、例えばＸ線撮影により得られるＸ線画像において、被写体領域の画素値が所定値以上である画素値の数が多い場合に線量過多であると判定される。あるいは当該Ｘ線撮影の撮影情報に関連付けられた標準の線量情報と、線量計等により得られた実測の線量情報との差の大きさに基づいて線量の過不足が判定される。かかる判定部により、Ｘ線画像の線量が適切でないと判定された場合に、出力制御部１０３７は当該Ｘ線撮影での線量が不適切であることを示す警告を出力部１０３１に出力させる。これにより、システムの利用者は、Ｘ線画像の異常の原因を容易に特定することができ、適切な再撮影を行うことが可能となる。かかる実施形態は、例えば、適切な線量あるいは上述した標準の線量情報の信頼性が低い場合、撮影前に警告することが望ましくないとされる場合にメリットがある。
【００９５】
以上、本発明の実施形態について説明したが、本発明はこれらの実施形態に限定されないことはいうまでもなく、その要旨の範囲内で種々の変形及び変更が可能である。
【００９６】
図１３に係る本発明の別の実施形態では、撮影管理装置１０３に係る処理を複数の装置で分散させて実行する。先述の構成と同様の名称、同様の符番を付した構成は、先述の実施形態と同様であるため説明を省略する。
【００９７】
本実施形態では、第一の線量取得部１０３５、第二の線量取得部１０３６の機能が撮影管理装置１３０１の外部に配置され、撮影管理装置１３０１の受信部１３０５と通信するサーバ１３０２で実現される。実現方法は例えば上述の実施形態と同様にサーバ１３０２に記憶されたプログラムに含まれる命令群を、サーバ１３０２のＣＰＵ、ＲＯＭで実行する方法がある。受信部１３０５は、サーバ１３０２で算出あるいは取得された第一のＸ線撮影の線量の情報と第二のＸ線撮影の推定線量を示す情報とを受信する。この点で受信部１３０５は第一の線量取得部１０３５及び第二の線量取得部１０３６として機能する。かかる構成は、撮影管理装置１３０１が処理能力の小さい携帯端末等である場合にメリットがある。この場合、撮影管理装置１３０１は出力部１０３２の機能を有する出力部１３０３、操作部１０３２の機能を有する操作部１３０４が撮影管理装置１３０１と一体的に構成されていてもよい。
【００９８】
また、本発明の実施形態には、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行する、という形態を含む。
【００９９】
従って、本発明の機能処理をコンピュータで実現するために、該コンピュータにインストールされるプログラムコード自体も本発明の実施形態の１つである。また本発明の実施形態に係る機能処理をコンピュータで実現するためのプログラムファイルを複数のユーザに対してダウンロードさせるＷＷＷサーバも、本発明に含まれるものである。なお本発明の実施形態に係るプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【符号の説明】
【０１００】
１００  Ｘ線撮影システム
１０１  Ｘ線受像部
１０２  Ｘ線発生部
１０３  撮影管理装置
１０３１  出力部
１０３４  撮影情報取得部
１０３５  第一の線量取得部
１０３６  第二の線量取得部
１０３７  出力制御部
【図１】
0006415231.tif 000002
【図２】
0006415231.tif 000003
【図３】
0006415231.tif 000004
【図４】
0006415231.tif 000005
【図５】
0006415231.tif 000006
【図６】
0006415231.tif 000007
【図７】
0006415231.tif 000008
【図８】
0006415231.tif 000009
【図９】
0006415231.tif 000010
【図１０】
0006415231.tif 000011
【図１１】
0006415231.tif 000012
【図１２】
0006415231.tif 000013
【図１３】
0006415231.tif 000014